【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
ガイド軸に沿って延びるn段を含むイオンガイドであって、
該n段のそれぞれが、該ガイド軸を中心として配置される複数の対向する細長い導電ロッドセグメントを含み、
該n段のうちi番目の該細長い導電ロッドセグメントのそれぞれが、長さli、断面半径riおよび該ガイド軸から距離Ri+riに位置する中心軸を有し、
電圧源が、該段のそれぞれの該複数の対向する細長い導電ロッドセグメントのうちの2つの隣接する導電ロッドセグメントの間にAC成分を有する電圧を提供し、該ガイド軸に沿ってイオンを導くために交流電界を生成し、
ri/Riが、該ガイド軸に沿って実質的に一定であり、該段のうちの少なくとも2つの段に関してはRiが異なる、イオンガイド。
【請求項２】
n段のそれぞれに関して、Ri+1≦Riである、請求項1記載のイオンガイド。
【請求項３】
電圧源が、段のそれぞれにおいて、対向する細長い導電ロッドセグメントにDC分解電位をさらに提供する、請求項2記載のイオンガイド。
【請求項４】
電圧源が、対向する細長い導電ロッドセグメント間に大きさ2Ub-iのDC成分をさらに提供する、請求項3記載のイオンガイド。
【請求項５】
電圧源が、少なくとも1組の隣接するn段の間にDC成分Uc-iをさらに提供する、請求項1記載のイオンガイド。
【請求項６】
DC成分Uc-iが、ガイド軸に沿ってDC電界を提供する、請求項5記載のイオンガイド。
【請求項７】
n段のうち少なくとも1つの段に関してUc-iが、該n段のうちの該段においてイオンを捕捉するために、ガイド軸に沿って導かれる該イオンのエネルギを超える、請求項5記載のイオンガイド。
【請求項８】
n段のうちn番目の段に関してUc-iが、該n段のうちの該n番目の段の付近でイオンを捕捉するために、ガイド軸に沿って導かれる該イオンのエネルギを超える、請求項5記載のイオンガイド。
【請求項９】
n段のうち（n-1）番目の段に関してUciが、該n段のうちの該（n-1）番目の段の付近でイオンを捕捉するために、ガイド軸に沿って導かれる該イオンのエネルギを超える、請求項5記載のイオンガイド。
【請求項１０】
AC成分が、n段のそれぞれのうちi番目のそれぞれに関して周波数Ωiおよび振幅Vac-iを有する、請求項1記載のイオンガイド。
【請求項１１】
n段のうち少なくとも2つに関してVac-iが異なる、請求項10記載のイオンガイド。
【請求項１２】
n段のうち少なくとも2つに関してΩiが異なる、請求項10記載のイオンガイド。
【請求項１３】
質量対電荷量比m/zの各イオンに関して、q=zVac-i/mri2Ωi2が、n段のすべてに関して実質的に一定である、請求項12記載のイオンガイド。
【請求項１４】
電圧源が、n段のそれぞれのうちi番目の複数の対向する細長いロッドの間に周波数ω'iを有する少なくとも1つの追加AC成分をさらに提供する、請求項1記載のイオンガイド。
【請求項１５】
n段のそれぞれが、2対の対向する細長いロッドを含み、実質的に4極性の電界を生成する、請求項1記載のイオンガイド。
【請求項１６】
n段のそれぞれに関してri/Riが1.12〜1.15である、請求項15記載のイオンガイド。
【請求項１７】
liのそれぞれが1cmより大きい、請求項1記載のイオンガイド。
【請求項１８】
li＞li+1である、請求項1記載のイオンガイド。
【請求項１９】
n段のそれぞれの隣接する段のロッドが、ガイド軸に沿って少なくとも1mmの間隙によって分離される、請求項1記載のイオンガイド。
【請求項２０】
電圧源が、複数の直列相互接続されるコンデンサを含み、段のそれぞれのロッドに対する電圧が、該直列コンデンサのうちの2つの間から提供される、請求項1記載のイオンガイド。
【請求項２１】
電圧源が、直列相互接続されるコンデンサの1つとそれぞれが並列に相互接続される、複数の抵抗器をさらに含む、請求項1記載のイオンガイド。
【請求項２２】
n個のセグメントのうち第1のセグメントが、第1の圧力の領域から延びるよう導き、該n個のセグメントのうちn番目のセグメントが、第2の圧力の領域へと導き、該第2の圧力が、該第1の圧力より大きい、請求項1記載のイオンガイド。
【請求項２３】
n個のセグメントのうち第1のセグメントが、第1の圧力の領域から延びるよう導き、該n個のセグメントのうちn番目のセグメントが、第2の圧力の領域へと導き、該第1の圧力が、該第2の圧力より大きい、請求項1記載のイオンガイド。
【請求項２４】
Riが、各段に関して入口から出口まで減少する、請求項1記載のイオンガイド。
【請求項２５】
請求項1記載のイオンガイドを備える、質量分析計。
【請求項２６】
少なくとも3つの段に関してRiが異なる、請求項1記載のイオンガイド。
【請求項２７】
n段のうちの少なくとも1つの段が、2対の対向する細長いロッドを含み、実質的に4極性の電界を生成する、請求項1記載のイオンガイド。
【請求項２８】
n段のそれぞれの少なくとも1つの段に関してri/Riが1.12〜1.15である、請求項27記載のイオンガイド。
【請求項２９】
n段の少なくとも1つの段が、3対の対向する細長いロッドを含む、請求項1記載のイオンガイド。
【請求項３０】
n段の少なくとも1つの段が、4対の対向する細長いロッドを含む、請求項1記載のイオンガイド。
【請求項３１】
n段の少なくとも1つの段が、5対またはそれ以上の対向する細長いロッドを含む、請求項1記載のイオンガイド。
【請求項３２】
n段のそれぞれの隣接する段のロッドが、ガイド軸に沿って1〜3mmの間隙によって分離される、請求項1記載のイオンガイド。
【請求項３３】
n段の少なくとも2つに関してri/Riが一定である、請求項1記載のイオンガイド。
【請求項３４】
請求項1記載のイオンガイドを備える、質量分析計。
【請求項３５】
liの少なくとも1つがli+1より大きい、請求項1記載のイオンガイド。
【請求項３６】
その間に交流電界を生成するための、ガイド軸を中心として配置される少なくとも部分的に導電性の複数の対向する細長いロッドセグメントを含むイオンガイドであって、該細長いロッドセグメントのそれぞれが、半径r(x)を有する実質的に円形の断面を有し、かつ該ガイド軸から位置r(x)+R(x)で中心に置かれ、xは、該ガイド軸に沿った位置xを表し、r(x)/R(x)は、該ガイド軸に沿ったxの値に関して実質的に一定である、イオンガイド。
【請求項３７】
細長いロッドセグメントと相互に接続されて交流電界を生成するAC電圧源をさらに含む、請求項36記載のイオンガイド。
【請求項３８】
AC電圧源が、対向するロッドセグメント対の間にAC電圧を印加する、請求項37記載のイオンガイド。
【請求項３９】
細長い導電ロッドが、ガイドの開口部および出口を画定し、該出口でイオンを捕捉するために捕捉レンズをさらに含む、請求項36記載のイオンガイド。
【請求項４０】
捕捉レンズが開口部プレートを含む、請求項39記載のイオンガイド。
【請求項４１】
捕捉レンズが少なくとも1対の対向するロッドを含む、請求項40記載のイオンガイド。
【請求項４２】
R(x)がガイド軸に沿って線形に減少する、請求項36記載のガイド。
【請求項４３】
細長い導電ロッドが、ガイド軸に沿ってより高圧の領域からより低圧の領域まで延びる、請求項36記載のイオンガイド。
【請求項４４】
イオンガイドが、軸に沿って実質的に4極性の電界を生成するように配置された2対の複数の細長い導電ロッドを含む、請求項36記載のイオンガイド。
【請求項４５】
電圧源が、複数の対抗する細長いロッドの間に大きさU(x)のDC成分をさらに提供する、請求項36記載のイオンガイド。
【請求項４６】
AC電圧源が、Ωの周波数の成分を有するAC電圧を生成する、請求項36記載のイオンガイド。
【請求項４７】
AC電圧源が、可変振幅のAC電圧を提供するように変更されてもよい、請求項36記載のイオンガイド。
【請求項４８】
AC電圧源が調節可能な周波数のAC電圧を提供する、請求項36記載のイオンガイド。
【請求項４９】
電圧源が、複数の対向する細長いロッド間で周波数ωiを有する少なくとも1つの追加AC成分をさらに提供する、請求項38記載のイオンガイド。
【請求項５０】
請求項36記載のイオンガイドを備える、質量分析計。
【請求項５１】
ガイド軸に沿って配置される複数のガイド段を設ける工程；
該複数のガイド段のそれぞれの中で該ガイド軸に沿ってイオンを導きかつ該段のそれぞれにおいて選択されたm/z比のイオンを該ガイド軸を中心とした半径内に閉じ込める、交流電界を生成する工程
を含む、該ガイド軸に沿ってイオンガイド内に選択されたm/z比のイオンを導く方法であって、
該半径が、該ガイド軸に沿って段から段へと連続的に減少され、かつ、
各段の中の該電界の振幅および周波数の少なくとも1つが、隣接する段の中の振幅、周波数、ならびに軸方向の電位および分解電位から変化している、方法。
【請求項５２】
複数のガイド段のそれぞれの中の交流電界が、実質的に4極性の電界である、請求項51記載の方法。
【請求項５３】
複数のガイド段のそれぞれの中の交流電界が実質的に6極性の電界である、請求項51記載の方法。
【請求項５４】
複数のガイド段のそれぞれの中の交流電界が実質的に8極性の電界である、請求項51記載の方法。
【請求項５５】
複数のガイド段のそれぞれの中の交流電界が実質的にn極性の電界であり、n＞4である、請求項51記載の方法。
【請求項５６】
交流電界が、ガイド軸に対して直交方向に第1および第2の交流成分を含む、請求項51記載の方法。
【請求項５７】
段から段へとイオンを導くために、ガイド軸に平行な方向に電界を生成する工程をさらに含む、請求項51記載の方法。
【請求項５８】
ガイド軸に平行な方向の電界が、該ガイド軸に沿って、異なる質量対電荷量比のイオンを空間的に分離する、請求項57記載の方法。
【請求項５９】
第1の時間においてガイドからのイオンの放出を防止し、第2の時間において該ガイドからイオンを放出する、該軸に沿った電界を生成する工程をさらに含む、請求項51記載の方法。
【請求項６０】
ガイド軸に対して直交方向に第2の交流電界を生成し、特定の選択されたm/z比のイオンを放出する工程をさらに含む、請求項51記載の方法。
【請求項６１】
n段のそれぞれが、ガイド軸に沿って少なくとも実質的に4極性の電界を生成するように配置される2対の細長い導電ロッドセグメントを含む、請求項1記載のイオンガイド。
【請求項６２】
n段のそれぞれが、ガイド軸に沿って6極性の電界を生成するように配置される3対の細長い導電ロッドセグメントを含む、請求項1記載のイオンガイド。
【請求項６３】
n段のそれぞれが、ガイド軸に沿って8極性の電界を生成するように配置される4対の細長い導電ロッドセグメントを含む、請求項1記載のイオンガイド。
【請求項６４】
n段のそれぞれが、ガイド軸に沿ってn極性の電界を生成するように配置される2n対の細長い導電ロッドセグメントを含む、請求項1記載のイオンガイド。
【請求項６５】
n段のそれぞれが、ガイド軸に沿って実質的に4極性の電界を生成するように配置される2対の細長いロッドセグメントを含む、請求項36記載のイオンガイド。
【請求項６６】
n段のそれぞれが、ガイド軸に沿って6極性の電界を生成するように配置される3対の細長いロッドセグメントを含む、請求項36記載のイオンガイド。
【請求項６７】
n段のそれぞれが、ガイド軸に沿って8極性の電界を生成するように配置される4対の細長いロッドセグメントを含む、請求項36記載のイオンガイド。
【請求項６８】
n段のそれぞれが、ガイド軸に沿ってn極性の電界を生成するように配置される2n対の細長いロッドセグメントを含む、請求項36記載のイオンガイド。